(57)【要約】【課題】ＦＤＣチャンネル受信チューナとＦＡＴチャンネル受信チューナ、ケーブルカードを接続する機能をもつケーブルテレビ受信機においてＦＤＣチャンネル受信用チューナの局部発振信号が選局するＦＡＴチャンネル帯域内に入り、妨害となる。【解決手段】ケーブルカードをケーブルテレビ受信機に未接続時には、ＦＤＣチャンネル受信用チューナの局部発振器をパワーダウンし、ＦＤＣチューナの局部発振信号が選局したＦＡＴチャンネル信号帯域に妨害を与えないようにする。【選択図】図１
2008109441.tif 000002
【特許請求の範囲】
【請求項１】
有料放送受信を可能とするためのケーブルカードを接続する機能をもつケーブルテレビ受信機において、ケーブルカードをケーブルテレビ受信機に接続しない場合、ＦＤＣ  Ｃｈａｎｎｅｌ受信チューナに入力される局部発振信号及びその高調波が出力されないように、ＦＤＣ  Ｃｈａｎｎｅｌ受信チューナの局部発振器をパワーダウンすることを特徴とするケーブルテレビ受信装置。
【請求項２】
有料放送受信を可能とするためのケーブルカードを接続する機能をもつケーブルテレビ受信機において、ケーブルカードをケーブルテレビ受信機に接続しないとき且つＦＤＣ  Ｃｈａｎｎｅｌ受信チューナに入力される局部発振信号及びその高調波の周波数が選局したＦＡＴ  Ｃｈａｎｎｅｌ受信周波数帯域内にある場合、ＦＤＣ  Ｃｈａｎｎｅｌ受信チューナに入力される局部発振信号及びその高調波が出力されないように、ＦＤＣ  Ｃｈａｎｎｅｌ受信チューナの局部発振器をパワーダウンすることを特徴とするケーブルテレビ受信装置。
【請求項３】
有料放送受信機能をもつケーブルテレビ受信機において、ＦＤＣ  Ｃｈａｎｎｅｌ受信チューナに入力される局部発振信号及びその高調波の周波数が選局したＦＡＴ  Ｃｈａｎｎｅｌ受信周波数帯域内にある場合、ＦＤＣ  Ｃｈａｎｎｅｌ受信チューナに入力される局部発振信号のレベルを小さくすることを特徴とするケーブルテレビ受信装置。
【請求項４】
選局したＦＡＴ  Ｃｈａｎｎｅｌ信号のレベルを検出するレベル検出器があり、上記レベル検出器で検出したレベルがある閾値より小さい場合、ＦＤＣ  Ｃｈａｎｎｅｌ受信チューナの局部発振器をパワーダウンすることを特徴とする請求項１、２のケーブルテレビ受信装置。
【請求項５】
選局したＦＡＴ  Ｃｈａｎｎｅｌ信号のレベルを検出するレベル検出器があり、上記レベル検出器で検出したレベルがある閾値より小さい場合、ＦＤＣ  Ｃｈａｎｎｅｌ受信チューナに入力される局部発振信号のレベルを小さくすることを特徴とする請求項３のケーブルテレビ受信装置。
【請求項６】
選局したＦＡＴ  Ｃｈａｎｎｅｌ信号のレベルを検出するレベル検出器があり、上記レベル検出器で検出したレベルに応じ、ＦＤＣ  Ｃｈａｎｎｅｌ受信チューナに入力される局部発振信号のレベルを変化させることを特徴とする請求項３のケーブルテレビ受信装置。
【発明の詳細な説明】
【技術分野】
【０００１】
本発明は、ケーブルテレビ受信機に関するものである。
【背景技術】
【０００２】
ケーブルテレビ受信機には、映像音声などを受信するＦＡＴ  Ｃｈａｎｎｅｌ（Ｆｏｒｗａｒｄ  Ａｐｐｌｉｃａｔｉｏｎ  Ｔｒａｎｓｐｏｒｔ  Ｃｈａｎｎｅｌ）受信用のチューナと番組情報、鍵情報などを受信するＦＤＣ  Ｃｈａｎｎｅｌ（Ｆｏｒｗａｒｄ  Ｄａｔａ  Ｃｈａｎｎｅｌ）受信用チューナがある。ＦＡＴ  Ｃｈａｎｎｅｌ用のチューナはＲＦ（Ｒａｄｉｏ  Ｆｒｅｑｕｅｎｃｙ）帯域で送信されるアナログ放送のＡＭ（Ａｍｐｌｉｔｕｄｅ  Ｍｏｄｕｌａｔｉｏｎ）変調信号やデジタル放送のＱＡＭ（Ｑｕａｄｒａｔｕｒｅ  Ａｍｐｌｉｔｕｄｅ  Ｍｏｄｕｌａｔｉｏｎ）信号をＩＦ（Ｉｎｔｅｒｍｅｄｉａｔｅ  Ｆｒｅｑｕｅｎｃｙ）に変換し、ＦＤＣ  Ｃｈａｎｎｎｅｌ用のチューナはＲＦ帯域で送信されるＱＰＳＫ（Ｑｕａｄｒａｔｕｒｅ  Ｐｈａｓｅ  Ｓｈｉｆｔ  Ｋｅｙｉｎｇ）信号をＩＦに変換している。
【０００３】
従来のテレビ受信機では、ＦＭ多重信号受信装置の局部発振器によって生成される局部発振信号の発振周波数の整数倍の信号がテレビ信号受信装置によって受信されるテレビ信号の周波数と一致する関係にある場合に、ＦＭ多重信号受信装置の局部発振信号の発信周波数を、テレビ信号の周波数と一致しないように変更する（例えば、特許文献１または特許文献２に記載）。この方法を上記のケーブルテレビ受信機に適応すると、ＦＤＣ  Ｃｈａｎｎｅｌの受信周波数は７０〜１３０ＭＨｚ、ＦＡＴ  Ｃｈａｎｎｅｌ（６ＭＨｚ帯域）の受信周波数は５４〜８６４ＭＨｚ、ＩＦが４４ＭＨｚであるとき、ＦＤＣ  Ｃｈａｎｎｅｌが中心周波数が７１ＭＨｚ、ＦＡＴ  Ｃｈａｎｎｅｌの中心周波数が２３１ＭＨｚのチャンネルを受信する場合、ＦＤＣ  Ｃｈａｎｎｅｌ受信用のＯＯＢ  ＱＰＳＫ  Ｔｕｎｅｒの局部発振周波数が７１＋４４ＭＨｚ＝１１５ＭＨｚの２倍の周波数が２３０ＭＨｚとなり、ＦＡＴ  Ｃｈａｎｎｅｌの２３１ＭＨｚ±３ＭＨｚの帯域に妨害を与えるため、ＯＯＢ  ＱＰＳＫ  Ｔｕｎｅｒの局部発振周波数を７１−４４ＭＨｚ＝２７ＭＨｚに変更して、２７ＭＨｚの整数倍が２３１ＭＨｚの帯域（２３１ＭＨｚ±３ＭＨｚ以内）に入らないように局部発振周波数を変更する。
【非特許文献１】ＯｐｅｎＣａｂｌｅ  Ｈｏｓｔ  Ｄｅｖｉｃｅ  １．０  Ｃｏｒｅ  Ｆｕｎｃｔｉｏｎａｌ  Ｒｅｑｕｉｒｅｍｅｎｔ（ＯＣ−ＳＰ−ＨＯＳＴ１．０−ＣＦＲ−Ｃ０１−０４０６２９）
【特許文献１】特開２００２‐７７０６４号公報
【特許文献２】特開２００２‐７７０６５号公報
【発明の開示】
【発明が解決しようとする課題】
【０００４】
しかしながら上述の従来技術のように局部発振周波数を変更すると、ＦＤＣ  Ｃｈａｎｎｅｌの受信周波数７０〜１３０ＭＨｚの信号を受信するためにはＯＯＢ  ＱＰＳＫ  Ｔｕｎｅｒの局部発振信号の発振周波数を７０−４４＝２６ＭＨｚ〜１３０＋４４＝１７４ＭＨｚまで広帯域に発振させる必要があり、その為、局部発振器の回路規模が増大するという課題があった。
【０００５】
本発明の目的は、局部発振器の回路規模の増大を防止し、且つ、ＦＤＣ  Ｃｈａｎｎｅｌ受信チューナに入力される局部発振信号がＦＡＴ  Ｃｈａｎｎｅｌ受信チューナに妨害を与えないまたは妨害レベルを小さくすることができるケーブルテレビ受信装置を提供することである。
【課題を解決するための手段】
【０００６】
（１） 第１の発明
有料放送受信を可能とするためのケーブルカードを接続する機能をもつケーブルテレビ受信機において、ケーブルカードをケーブルテレビ受信機に接続しない場合、ＦＤＣ  Ｃｈａｎｎｅｌ受信チューナに入力される局部発振信号及びその高調波が出力されないように、ＦＤＣ  Ｃｈａｎｎｅｌ受信チューナの局部発振器をパワーダウンすることを特徴とし、
ＦＤＣ  Ｃｈａｎｎｅｌ受信チューナに入力される局部発振信号及びその高調波信号が、ＦＡＴチャンネル受信チューナに妨害を与えないことが可能となる。
（２） 第２の発明
有料放送受信を可能とするためのケーブルカードを接続する機能をもつケーブルテレビ受信機において、ケーブルカードをケーブルテレビ受信機に接続しないとき且つＦＤＣ  Ｃｈａｎｎｅｌ受信チューナに入力される局部発振信号及びその高調波の周波数が選局したＦＡＴ  Ｃｈａｎｎｅｌ受信周波数帯域内にある場合、ＦＤＣ  Ｃｈａｎｎｅｌ受信チューナに入力される局部発振信号及びその高調波が出力されないように、ＦＤＣ  Ｃｈａｎｎｅｌ受信チューナの局部発振器をパワーダウンすることを特徴とし、
ＦＤＣ  Ｃｈａｎｎｅｌ受信チューナに入力される局部発振信号及びその高調波信号が、ＦＡＴチャンネル受信チューナに妨害を与えないことが可能となる。
（３）第３の発明
有料放送受信機能をもつケーブルテレビ受信機において、ＦＤＣ  Ｃｈａｎｎｅｌ受信チューナに入力される局部発振信号及びその高調波の周波数が選局したＦＡＴ  Ｃｈａｎｎｅｌ受信周波数帯域内にある場合、ＦＤＣ  Ｃｈａｎｎｅｌ受信チューナに入力される局部発振信号のレベルを小さくすることを特徴とし、
ＦＤＣ  Ｃｈａｎｎｅｌ受信チューナに入力される局部発振信号及びその高調波信号が、ＦＡＴチャンネル受信チューナに与える妨害レベルを小さくすることが可能となる。
（４） 第４の発明
選局したＦＡＴ  Ｃｈａｎｎｅｌ信号のレベルを検出するレベル検出器があり、上記レベル検出器で検出したレベルがある閾値より小さい場合、ＦＤＣ  Ｃｈａｎｎｅｌ受信チューナの局部発振器をパワーダウンすることを特徴とする第１、２の発明であり、
ＦＤＣ  Ｃｈａｎｎｅｌ受信チューナに入力される局部発振信号及びその高調波信号が、ＦＡＴチャンネル受信チューナに妨害を与えないことが可能となる。
（５）第５の発明
選局したＦＡＴ  Ｃｈａｎｎｅｌ信号のレベルを検出するレベル検出器があり、上記レベル検出器で検出したレベルがある閾値より小さい場合、ＦＤＣ  Ｃｈａｎｎｅｌ受信チューナに入力される局部発振信号のレベルを小さくすることを特徴とする第３の発明であり、
ＦＤＣ  Ｃｈａｎｎｅｌ受信チューナに入力される局部発振信号及びその高調波信号が、ＦＡＴチャンネル受信チューナに与える妨害レベルを小さくすることが可能となる。
（６）第６の発明
選局したＦＡＴ  Ｃｈａｎｎｅｌ信号のレベルを検出するレベル検出器があり、上記レベル検出器で検出したレベルに応じ、ＦＤＣ  Ｃｈａｎｎｅｌ受信チューナに入力される局部発振信号のレベルを変化させることを特徴とする第３の発明であり、
ＦＤＣ  Ｃｈａｎｎｅｌ受信チューナに入力される局部発振信号及びその高調波信号が、ＦＡＴチャンネル受信チューナに与える妨害レベルを小さくすることが可能となる。
【発明の効果】
【０００７】
本発明により、局部発振器の回路規模を増大することなく、ケーブルカードをケーブルテレビ受信機に接続していないときに、ＦＤＣ  Ｃｈａｎｎｅｌ受信チューナに入力される局部発振信号の周波数が、選局したＦＡＴ  Ｃｈａｎｎｅｌの帯域内にある場合に、ＦＤＣ  Ｃｈａｎｎｅｌ受信チューナに入力される局部発振信号がＦＡＴ  Ｃｈａｎｎｅｌ受信チューナに妨害を与えないまたは妨害レベルを小さくすることが可能となる。
【発明を実施するための最良の形態】
【０００８】
（実施の形態１）
図１に本発明の受信装置の実施の形態１における構成図を示す。
【０００９】
１はケーブル信号を入力するＲＦ入力、２はＦＡＴ  Ｃｈａｎｎｅｌ信号とＦＤＣ  Ｃｈａｎｎｅｌ信号を分配する分配器、３はＦＡＴ  Ｃｈａｎｎｅｌ受信チューナに入力するＦＡＴ  Ｃｈａｎｎｅｌ信号、４はＦＡＴ  Ｃｈａｎｎｅｌ信号を中間周波信号（以後、ＩＦ信号と記載）に周波数変換するＦＡＴ  Ｃｈａｎｎｅｌ受信チューナ、５はＦＡＴ  Ｃｈａｎｎｅｌ信号に含まれるＮＴＳＣ信号とＱＡＭ信号を復調するＱＡＭ復調器／ＡＭ復調器、６はＦＤＣ  Ｃｈａｎｎｅｌ受信チューナに入力するＦＤＣ  Ｃｈａｎｎｅｌ信号、７はＦＤＣ  Ｃｈａｎｎｅｌ信号が送信される帯域のみを通過させるバンドパスフィルタ、８はＦＤＣ  Ｃｈａｎｎｅｌ信号を増幅するＲＦ増幅器、９はＦＤＣ  Ｃｈａｎｎｅｌ信号６をＩＦ信号に周波数変換するミキサ、１０はミキサ９に局部発振信号を入力する局部発振器、１１はミキサ９で周波数変換されたＩＦ信号を帯域制限するＳＡＷフィルタ、１２はＳＡＷフィルタ１１を通過したＩＦ信号増幅するＩＦ増幅器、１３はＩＦ信号に変換されたＦＤＣ  Ｃｈａｎｎｅｌ信号を復調するＱＰＳＫ復調器、１４はＱＡＭ復調器／ＡＭ復調器でＱＡＭ復調されたＴＳ（ｔｒａｎｓｐｏｒｔ  Ｓｔｒｅａｍ）信号をケーブルカード挿入部１５に挿入されたケーブルカードに渡すか、ＭＰＥＧ復号器１６に渡すかを切り替える切り替え器で、ケーブルカード挿入部１５にケーブルカードがが接続されているときはＱＡＭ復調器／ＡＭ復調器でＱＡＭ復調されたＴＳ信号をケーブルカードに渡し、ケーブルカードが接続されていないときは復調器／ＡＭ復調器でＱＡＭ復調されたＴＳ信号をＭＰＥＧ復号器１６に渡す。
【００１０】
次に本発明の実施の形態１における受信装置の動作を説明する。なお、本実施の形態では、ＦＤＣ  Ｃｈａｎｎｅｌ信号が９１ＭＨｚ、ミキサ９で変換されるＩＦ周波数が４４ＭＨｚの場合の例で説明する。
【００１１】
マイコン１７はケーブルカード挿入部１５にケーブルカードが挿入されているかを判断する。ケーブルカードが挿入されている場合は、マイコン１７は発振周波数が９１＋４４＝１３５ＭＨｚである局部発振信号を発生するように局部発振器１０を制御する。一方、ケーブルカードが挿入されていない場合は、マイコン１７は局部発振器１０をパワーダウンし、局部発振器１０から局部発振信号が発生するのを停止する。
【００１２】
かかる構成及び動作によると、ケーブルカード挿入部１５にケーブルカードが挿入されてない場合は、１３５ＭＨｚの局部発振信号及びその高調波（１３５ＭＨｚ、２７０ＭＨｚ、４０５ＭＨｚ、５４０ＭＨｚ、６７５ＭＨｚ、８１０ＭＨｚ）がミキサ９、ＲＦ増幅器８、バンドパスフィルタ７、分配器２を通って漏れ出て、ＦＡＴ  Ｃｈａｎｎｅｌ受信チューナ４に入力されることを防止することができる。
【００１３】
したがって、ＦＡＴ  Ｃｈｎｎｅｌ受信チューナ４で中心周波数１３５ＭＨｚまたはその整数倍（２７０ＭＨｚ、４０５ＭＨｚ、５４０ＭＨｚ、６７５ＭＨｚ、８１０ＭＨｚ）のＦＡＴ  Ｃｈａｎｎｅｌ信号（ＮＴＳＣ信号またはＱＡＭ信号）を選局する場合で且つＦＡＴ  Ｃｈａｎｎｅｌ信号（ＮＴＳＣ信号またはＱＡＭ信号）のＲＦ入力レベルが小さい場合に、１３５ＭＨｚの局部発振信号またはその高調波（２７０ＭＨｚ、４０５ＭＨｚ、５４０ＭＨｚ、６７５ＭＨｚ、８１０ＭＨｚ）がＦＡＴ  Ｃｈａｎｎｅｌ帯域内（例えば６ＭＨｚ）に入ることによる妨害を防止することができ、ＮＴＳＣ信号受信時にはケーブルテレビ受信機の画面にビート妨害が発生したり、ＱＡＭ受信時にはブロックノイズが発生したりすることを防止することができる。
【００１４】
したがって、ケーブルカード挿入部１５にケーブルカードが挿入されていない場合には、ＦＤＣ  Ｃｈａｎｎｅｌ受信チューナに入力される局部発振信号の周波数が、選局したＦＡＴ  Ｃｈａｎｎｅｌの帯域内にある場合に、ＦＤＣ  Ｃｈａｎｎｅｌ受信チューナに入力される局部発振信号がＦＡＴ  Ｃｈａｎｎｅｌ受信チューナに妨害を与えないまたは妨害レベルを小さくすることが可能となる。
【００１５】
なお、ＦＤＣ  Ｃｈａｎｎｅｌ受信チューナ１４の局部発振器１０の局部発振周波数及びその高調波の周波数が選局したＦＡＴ  Ｃｈａｎｎｅｌ信号の帯域内に入るときのみ、局部発振器１０をパワーダウンし、局部発振器１０から局部発振信号が発生しないようにしてもよい。
（実施の形態２）
図２に本発明の受信装置の実施の形態２における構成図を示す。図２に示す受信装置と図１に示す受信装置とで異なる点は、局部発振器１０の出力を減衰する可変減衰器１８を備えた点であり、その他の点は図１に示す受信装置と同様であるので同一部分には同一符号を付し、以下詳細な説明を省略する。また、本実施の形態もＦＤＣ  Ｃｈａｎｎｅｌ信号が９１ＭＨｚ、ミキサ９で変換されるＩＦ周波数が４４ＭＨｚの場合の例で説明する。
【００１６】
可変減衰器１８は、局部発振器１０から出力される局部発振信号のレベルを減衰させる減衰器であって、マイコン１７からの制御命令に基づき減衰率が制御される。
【００１７】
次に、本発明の受信装置の実施の形態２における動作を説明する。マイコン１７は局部発振器１０の局部発振周波数及びその整数倍の周波数が、選局するＦＡＴ  Ｃｈａｎｎｅｌ信号（ＮＴＳＣ信号またはＱＡＭ信号）の帯域内（例えば６ＭＨｚ）に入る事を検知すると、可変減衰器１７の減衰率を増加させ局部発振器１０の局部発振信号のレベルを減衰させる。その結果ミキサ９、ＲＦ増幅器８、バンドパスフィルタ７、分配器２を通ってＦＡＴ  Ｃｈａｎｎｅｌ受信チューナ４に入力される１３５ＭＨｚの局部発振信号及びその高調波（１３５ＭＨｚ、２７０ＭＨｚ、４０５ＭＨｚ、５４０ＭＨｚ、６７５ＭＨｚ、８１０ＭＨｚ）が減衰する。
【００１８】
一方、マイコン１７が局部発振器１０の局部発振周波数及びその整数倍の周波数が選局するＦＡＴ  Ｃｈａｎｎｅｌ信号（ＮＴＳＣ信号またはＱＡＭ信号）の帯域内に入らない事を検知した場合には、可変減衰器の減衰量を０にし、局部発振器１０の局部発振信号のレベルを減衰させずにミキサ９に入力する。
【００１９】
かかる構成及び動作によると、ケーブルカード挿入部１５にケーブルカードが挿入されているか否かに関わらず、ＦＡＴ  Ｃｈｎｎｅｌ受信チューナ４で中心周波数１３５ＭＨｚまたはその整数倍（２７０ＭＨｚ、４０５ＭＨｚ、５４０ＭＨｚ、６７５ＭＨｚ、８１０ＭＨｚ）のＦＡＴ  Ｃｈａｎｎｅｌ信号（ＮＴＳＣ信号またはＱＡＭ信号）を選局する場合で且つＦＡＴ  Ｃｈａｎｎｅｌ信号（ＮＴＳＣ信号またはＱＡＭ信号）のＲＦ入力レベルが小さい場合に、１３５ＭＨｚの局部発振信号またはその高調波（２７０ＭＨｚ、４０５ＭＨｚ、５４０ＭＨｚ、６７５ＭＨｚ、８１０ＭＨｚ）がＦＡＴ  Ｃｈａｎｎｅｌ帯域内（例えば６ＭＨｚ）に入ることによる妨害を防止することができ、ＮＴＳＣ信号受信時にはケーブルテレビ受信機の画面にビート妨害が発生したり、ＱＡＭ受信時にはブロックノイズが発生したりすることを防止することができる。
【００２０】
したがって、ケーブルカード挿入部１５にケーブルカードが挿入されているか否かに関わらず、ＦＤＣ  Ｃｈａｎｎｅｌ受信チューナに入力される局部発振信号の周波数が、選局したＦＡＴ  Ｃｈａｎｎｅｌの帯域内にある場合に、ＦＤＣ  Ｃｈａｎｎｅｌ受信チューナに入力される局部発振信号がＦＡＴ  Ｃｈａｎｎｅｌ受信チューナに妨害を与えないまたは妨害レベルを小さくすることが可能となる。
（実施の形態３）
図３に本発明の受信装置の実施の形態３における構成図を示す。図３に示す受信装置と図１に示す受信装置とで異なる点は、ＱＡＭ復調器／ＡＭ復調器５の内部にＦＡＴ  Ｃｈｎｎｅｌ信号レベル検出器２７を備え、ＦＡＴ  Ｃｈｎｎｅｌ信号レベル検出器２７がＦＡＴ  Ｃｈａｎｎｅｌ受信チューナ４及びマイコン１７を制御する点であり、その他の点は図１に示す受信装置と同様であるので同一部分には同一符号を付し、以下詳細な説明を省略する。また、本実施の形態もＦＤＣ  Ｃｈａｎｎｅｌ信号が９１ＭＨｚ、ミキサ９で変換されるＩＦ周波数が４４ＭＨｚの場合の例で説明する。
【００２１】
図４にＱＡＭ復調器／ＡＭ復調器５の構成を示す。ＱＡＭ復調器／ＡＭ復調器５は、ＦＡＴ  Ｃｈａｎｎｅｌ受信チューナ４から出力されるＩＦ信号２１をＡＤ変換するＡＤ変換器２２と、ＡＤ変換器２２の出力からＦＡＴ  Ｃｈａｎｎｅｌ信号レベルを検出するＦＡＴ  Ｃｈａｎｎｅｌ信号レベル検出器２７と、ＦＡＴ  Ｃｈａｎｎｅｌ信号レベル検出器２７で検出したＦＡＴ  Ｃｈａｎｎｅｌ信号レベルを正の値に変換するレベル変換器２９と、レベル変換器２９の出力をＡＧＣ電圧に変換するＤＡ変換器２３とで構成される。
【００２２】
次に図４及び図５を用いて、ＦＡＴ  Ｃｈａｎｎｅｌ受信チューナ４及びＱＡＭ復調器／ＡＭ復調器５の動作について説明する。
【００２３】
ＦＡＴ  Ｃｈａｎｎｅｌ受信チューナ４から出力されるＩＦ信号２１をＡＤ変換器２２でアナログデジタル変換し、出力データと基準値記憶メモリ２６に記憶されている所定の基準値を減算器２５に入力してその差分を計算する。その差分値を積分器２４に通してＦＡＴ  Ｃｈａｎｎｅｌ信号レベル２０を計算する。負の値から正の値で表されるＦＡＴ  Ｃｈａｎｎｅｌ信号レベル２０（例えば−１２８から＋１２７）の一方をレベル変換器２９で０から正の値（例えば０から＋２５６）に変換し、ＤＡ変換器２３でデジタルアナログ変換してＡＧＣ電圧１９に変換し、ＦＡＴ  Ｃｈａｎｎｅｌ受信チューナ４の利得を制御する。この場合ＡＧＣ電圧の値が小さいほど、ＦＡＴ  Ｃｈａｎｎｅｌ受信チューナ４の利得を大きくし、ＡＧＣ電圧の値が大きいほど、ＦＡＴ  Ｃｈａｎｎｅｌ受信チューナ４の利得を小さくする。
【００２４】
マイコン１７では、ＡＤ変換されたＩＦ信号２２が基準値記憶メモリ２６に記憶されている基準値より小さい場合、ＦＡＴ  Ｃｈａｎｎｅｌ信号レベル２０の値は図５に示すようにマイナスの値で一定に落ち着き、この一定に落ち着いた値を見てマイコン１７で選局したＦＡＴ  Ｃｈａｎｎｅｌ信号３の信号レベルが低いかどうか判断している。
【００２５】
一定に落ち着いたＣｈａｎｎｅｌ信号レベル２０の値がある閾値より小さい場合に、マイコン１７で選局したＦＡＴ  Ｃｈａｎｎｅｌ信号３の信号レベルが低いと判断し、局部発振器１０をパワーダウンする。
【００２６】
かかる構成及び動作によると、ＦＡＴ  Ｃｈｎｎｅｌ受信チューナ４で中心周波数１３５ＭＨｚまたはその整数倍（２７０ＭＨｚ、４０５ＭＨｚ、５４０ＭＨｚ、６７５ＭＨｚ、８１０ＭＨｚ）のＦＡＴ  Ｃｈａｎｎｅｌ信号（ＮＴＳＣ信号またはＱＡＭ信号）を選局する場合で且つＦＡＴ  Ｃｈａｎｎｅｌ信号（ＮＴＳＣ信号またはＱＡＭ信号）のＲＦ入力レベルが小さい場合には、まず、ＦＡＴ  Ｃｈａｎｎｅｌ受信チューナ４の利得を大きくすし、局部発振器１０をパワーダウンする。これにより、１３５ＭＨｚの局部発振信号またはその高調波（２７０ＭＨｚ、４０５ＭＨｚ、５４０ＭＨｚ、６７５ＭＨｚ、８１０ＭＨｚ）がＦＡＴ  Ｃｈａｎｎｅｌ帯域内（例えば６ＭＨｚ）に入る場合に起こる妨害を防止することができ、ＮＴＳＣ信号受信時にはケーブルテレビ受信機の画面にビート妨害が発生したり、ＱＡＭ受信時にはブロックノイズが発生したりすることを防止することができる。
【００２７】
したがって、ケーブルカード挿入部１５にケーブルカードが挿入されているか否かに関わらず、局部発振信号またはその高調波がＦＡＴ  Ｃｈａｎｎｅｌを妨害する場合に限り、
ＦＤＣ  Ｃｈａｎｎｅｌ受信チューナに入力される局部発振信号の周波数が、選局したＦＡＴ  Ｃｈａｎｎｅｌの帯域内にある場合に、ＦＤＣ  Ｃｈａｎｎｅｌ受信チューナに入力される局部発振信号がＦＡＴ  Ｃｈａｎｎｅｌ受信チューナに妨害を与えないまたは妨害レベルを小さくすることが可能となる。
【００２８】
なお、一定に落ち着いたＣｈａｎｎｅｌ信号レベル２０の値がある閾値より小さい場合（選局したＦＡＴ  Ｃｈａｎｎｅｌ信号３の信号レベルが低い）で、且つ局部発振器１０の局部発振周波数及びその整数倍の周波数が選局するＦＡＴ  Ｃｈａｎｎｅｌ信号（ＮＴＳＣ信号またはＱＡＭ信号）３の帯域内に入る場合のみ局部発振器１０をパワーダウンしてもよい。
（実施の形態４）
図６に本発明の受信装置の実施の形態４における構成を示す。図６に示す受信装置と図３に示す受信装置とで異なる点は、図２に記載の可変減衰器１８を備えた点であり、その他の点は図３に示す受信装置と同様であるので同一部分には同一符号を付し、以下詳細な説明を省略する。
【００２９】
ＦＡＴ  Ｃｈａｎｎｅｌ受信チューナ４とＦＡＴ  Ｃｈａｎｎｅｌ信号レベル２０を検出するＦＡＴ  Ｃｈａｎｎｅｌ信号レベル検出器２７の動作については実施の形態３で説明した通りである。まず実施の形態３と同様、図５に示す一定に落ち着いた値を見てマイコン１７で選局したＦＡＴ  Ｃｈａｎｎｅｌ信号３の信号レベルが低いかどうか判断する。ＦＡＴ  Ｃｈａｎｎｅｌ信号３の信号レベルが低い場合には、実施の形態２と同様に可変減衰器１８の減衰量を大きくして、局部発振器１０の局部発振信号のレベルを小さくし、選局したＦＡＴ  Ｃｈａｎｎｅｌ信号（ＮＴＳＣ信号またはＱＡＭ信号）が局部発振器１０からの妨害を受けないようにする。
一方実施の形態２と同様に局部発振器１０の局部発振周波数及びその整数倍の周波数が選局するＦＡＴ  Ｃｈａｎｎｅｌ信号（ＮＴＳＣ信号またはＱＡＭ信号）の帯域内に入らない場合には、可変減衰器の減衰量を０にし、局部発振器１０の局部発振信号のレベルを減衰させずにミキサ９に入力する。
【００３０】
なお、図５に示す一定に落ち着いた値を見てマイコン１７で選局したＦＡＴ  Ｃｈａｎｎｅｌ信号３の信号レベルが低いかどうか判断する閾値を複数設定し、ＦＡＴ  Ｃｈａｎｎｅｌ信号３の信号レベルの低さに応じて可変減衰器の減衰量を段階的に変化させてもよい。
【産業上の利用可能性】
【００３１】
本発明に関わるケーブルテレビ受信装置は、映像音声などをＦＡＴ  Ｃｈａｎｎｅｌで送信し、且つ番組情報、鍵情報などをＦＤＣ  Ｃｈａｎｎｎｅｌで送信するケーブルテレビ信号を受信することができるケーブルテレビ受信装置に適用できる。
【図面の簡単な説明】
【００３２】
【図１】本発明の実施の形態１におけるケーブルテレビ受信装置の構成図
【図２】本発明の実施の形態２におけるケーブルテレビ受信装置の構成図
【図３】本発明の実施の形態３におけるケーブルテレビ受信装置の構成図
【図４】本発明の実施の形態３及び４におけるＦＡＴ  Ｃｈａｎｎｅｌ信号レベル検出器及びチューナ制御系の構成図
【図５】本発明の実施の形態３及び４におけるＦＡＴ  Ｃｈａｎｎｅｌ信号レベル検出器内の積分器出力の時間変化図
【図６】本発明の実施の形態４におけるケーブルテレビ受信装置の構成図
【符号の説明】
【００３３】
１    ＲＦ入力
２    分配器
３    ＦＡＴ  Ｃｈａｎｎｅｌ信号
４    ＦＡＴ  Ｃｈａｎｎｅｌ受信チューナ
５    ＱＡＭ復調器／ＡＭ復調器
６    ＦＤＣ  Ｃｈａｎｎｅｌ信号
７    バンドパスフィルタ
８    ＲＦ増幅器
１０    局部発振器
１１    ＳＡＷフィルタ
１２    ＩＦ増幅器
１３    ＱＰＳＫ復調器
１４    切り替え器
１５    ケーブルカード挿入部
１６    ＭＰＥＧ復号器
１７    マイコン
１８    可変減衰器
１９    ＡＧＣ電圧
２０    ＦＡＴ  Ｃｈａｎｎｅｌ信号レベル
２１    ＩＦ信号
２２    ＡＤ変換器
２３    ＤＡ変換器
２４    積分器
２５    減算器
２６    基準値記憶メモリ
２７    ＦＡＴ  Ｃｈａｎｎｅｌ信号レベル検出器
２８    ＡＭ復調またはＱＡＭ復調
２９    レベル変換
【図１】
2008109441.tif 000003
【図２】
2008109441.tif 000004
【図３】
2008109441.tif 000005
【図４】
2008109441.tif 000006
【図５】
2008109441.tif 000007
【図６】
2008109441.tif 000008